(57)【特許請求の範囲】
【請求項１】
飲料を収容するための容器本体と、
前記容器本体に形成される、前記飲料を排出する飲料開口部と、
前記飲料開口部から排出される飲料を利用者側に案内するための飲み口部と、を有し、
前記飲み口部は、飲料を利用者側に提供する位置である使用位置と、前記飲み口部を待避させる位置である待避位置とに移動可能であって、
前記飲み口部は、前記使用位置において、前記飲料開口部から離間する側に配置される飲み口先端部を有し、
前記使用位置において、少なくとも、前記飲み口先端部は、前記容器本体から突出して形成され、
前記待避位置においては、少なくとも、前記飲み口先端部が、前記容器本体内に配置され，
少なくとも、前記待避位置における前記飲み口部を覆うことができる蓋部を有し、
前記飲料開口部を通して、飲料が排出されるのを阻止する閉塞位置と、飲料の排出を許容する非閉塞位置とに移動可能な閉塞部を有し、
前記閉塞部を前記非閉塞位置に移動させる強制移動部を備え、
前記強制移動部は、前記飲み口部が少なくとも、前記使用位置に配置されたときに，前記閉塞部を前記非閉塞位置に配置させる構成となっていることを特徴とする飲料容器。
【請求項２】
前記飲み口部が前記使用位置に配置されたときに、前記飲み口部が前記容器本体に固定される構成となっていることを特徴とする請求項１に記載の飲料容器。
【請求項３】
前記閉塞部が前記閉塞位置に配置されるように付勢され、前記強制移動部によって前記非閉塞位置に移動させられる構成となっていることを特徴とする請求項１又は請求項２に記載の飲料容器。
【発明の詳細な説明】
【技術分野】
【０００１】
本発明は、飲料を内部に収容し得る飲料容器に関するものである。
【背景技術】
【０００２】
従来、例えば、乳幼児等が飲料を飲む際に用いるカップ等の飲料容器は、特許文献１に示すような構成となっていた。
このようなカップには、乳幼児等が飲料を飲み易くするための飲み口部が形成されている。また、この飲み口部は、乳幼児等がカップで飲料を飲む練習をするため、比較的大きく形成されている。
【先行技術文献】
【特許文献】
【０００３】
【特許文献１】特許第３９４２３０６号公報（図１等）
【発明の概要】
【発明が解決しようとする課題】
【０００４】
しかし、このようなカップ等の飲み口部は、飲料が収容されているカップ本体から突出して形成されることになる。
そして、利用者等が、このような飲料容器をバッグ等に入れて持ち運ぶと、この突出した飲み口部がバッグ等内で邪魔となり、取り扱いが不便となるという問題があった。
【０００５】
そこで、本発明は、乳幼児等が飲み易い飲み口部を有すると共に、バッグ等に入れて持ち運び易い飲料容器を提供することを目的とする。
【課題を解決するための手段】
【０００６】
前記目的は、本発明によれば、飲料を収容するための容器本体と、前記容器本体に形成される、前記飲料を排出する飲料開口部と、前記飲料開口部から排出される飲料を利用者側に案内するための飲み口部と、を有し、前記飲み口部は、飲料を利用者側に提供する位置である使用位置と、前記飲み口部を待避させる位置である待避位置とに移動可能であって、前記飲み口部は、前記使用位置において、前記飲料開口部から離間する側に配置される飲み口先端部を有し、前記使用位置において、少なくとも、前記飲み口先端部は、前記容器本体から突出して形成され、前記待避位置においては、少なくとも、前記飲み口先端部が、前記容器本体内に配置され，少なくとも、前記待避位置における前記飲み口部を覆うことができる蓋部を有し、前記飲料開口部を通して、飲料が排出されるのを阻止する閉塞位置と、飲料の排出を許容する非閉塞位置とに移動可能な閉塞部を有し、前記閉塞部を前記非閉塞位置に移動させる強制移動部を備え、前記強制移動部は、前記飲み口部が少なくとも、前記使用位置に配置されたときに，前記閉塞部を前記非閉塞位置に配置させる構成となっていることを特徴とする飲料容器により達成される。
【０００７】
前記構成によれば、飲み口部は、使用位置において、少なくとも、その飲み口先端部が、容器本体から突出して形成されると共に、待避位置においては、少なくとも、その飲み口先端部が、容器本体内に配置される構成となっている。
したがって、飲料容器の使用時に、少なくとも、その飲み口部の飲み口先端部が、容器本体から突出して形成されているので、利用者は、その飲み口部を用いて容易に容器本体内の飲料を飲む練習等をすることができる。
一方、飲料容器をバッグ等に入れて持ち運ぶ際は、少なくとも、飲み口部の飲み口先端部を容器本体内に配置することができるので、飲み口部がバッグ等の内部で邪魔になることを防ぐことができる。
【０００９】
前記構成によれば、飲み口部の一部が容器本体から突出していても、この突出部分を蓋部で覆うことができ、バッグ等の内部で邪魔になることをより防ぐことができる。
【００１１】
前記構成によれば、閉塞部は、飲み口部の使用位置への移動に伴って、非閉塞位置に配置されることになるので、利用者は飲み口部を使用位置へ移動するだけで、同時に飲料開口部を開状態にすることができ、円滑に飲料を飲むことができる。
【００１２】
好ましくは、本発明に係る飲料容器の前記飲み口部が前記使用位置に配置されたときに、前記飲み口部が前記容器本体に固定される構成となっていることを特徴とする。
【００１３】
前記構成によれば、飲み口部が不必要な動きをすることを未然に防止することができる。このため、利用者は、安定して配置されている飲み口部を用いて、飲料を飲む練習等を行うことができる。
特に、閉塞部を非閉塞位置に配置したときは、飲料開口部を確実に開状態に維持させることができる。
【００１４】
好ましくは、本発明に係る飲料容器の前記閉塞部が前記閉塞位置に配置されるように付勢され、前記強制移動部によって前記非閉塞位置に移動させられる構成となっていることを特徴とする。
【００１５】
前記構成によれば、利用者が例えば、飲み口部を使用位置から待避位置方向へ移動させると、閉塞部が閉塞位置に付勢力によって移動し、飲料開口部を閉塞する。
したがって、利用者が飲料容器の使用後、飲み口部を待避位置に配置するだけで、飲料開口部も閉塞されるので、飲料開口部の閉め忘れ等による飲料の漏出等を未然に防ぐことができる。
【発明の効果】
【００１８】
本発明は、乳幼児等が飲み易い飲み口部を有すると共に、バッグ等に入れて持ち運び易い飲料容器を提供できるという利点がある。
【図面の簡単な説明】
【００１９】
【図１】本発明の実施の形態に係るトレーニングコップ（学習用飲料コップ）を示す概略図である。
【図２】図１の上蓋が開いた状態の中蓋と上蓋の構成を示す概略斜視図である。
【図３】図１の中蓋と上蓋の構成を示す概略分解斜視図である。
【図４】閉まった状態の上蓋及び中蓋等の配置状態を示す概略断面図である。
【図５】開いた状態の上蓋及び中蓋等の配置状態を示す概略断面図である。
【発明を実施するための形態】
【００２０】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１に示すように、飲料容器である、例えばトレーニングコップ１は、乳幼児等が飲料を飲む練習等をするためのコップである。
トレーニングコップ１は、図１に示すように、乳幼児等が飲む飲料を収容するための容器本体の本体部である、例えばコップ本体２を有すると共に、このコップ本体２の本体開口２ａを覆うように配置される中蓋部である中蓋３を有している。
【００２２】
この中蓋３とカップ本体２の本体開口２ａとは、一方側に設けられている雄ねじと、他方側に設けられている雌ねじとを締める方向に移動させることで、中蓋３がコップ本体２に固定されると共に、これらのネジを緩める方向に移動させることで、中蓋３をコップ本体２から取り外すことが可能な構成となっている。
すなわち、トレーニングコップ１の利用者等は、コップ本体２の本体開口２ａ側から飲料をコップ本体２内に収容させた後に、中蓋３をネジで固定することで、本体開口２ａ側を中蓋３で確実に覆うことができる構成となっている。
【００２３】
中蓋３には、図１に示すように，内部の飲料を飲む乳幼児等が、その手でつかみ、保持するためのハンドル３ａが、例えば、２つ両側に形成されている。この２つのハンドル３ａ、３ａは、それぞれ、乳幼児等がつかみ易いように、コップ本体２から離間する方向に突出するように、やや湾曲した形状となっている。
また、中蓋３の図１において上側には、後で詳述する蓋部である例えば、上蓋４が開閉可能に配置されている。
【００２４】
図２及び図３に示すように、中蓋３には、コップ本体２と連通している飲料開口部である、例えば中蓋開口３ｂが形成されている。また、この中蓋開口３ｂの縁に沿って、図２等に示す例えば、枠状の中蓋開口用パッキン３ｃが配置されている。なお、中蓋開口用パッキン３ｃは、柔軟な材質から形成されている。
また、上蓋４は、図２及び図３に示すように、その内側に凹状の空間が形成されている上蓋本体４ｃ（上蓋本体４ｃの具体的形状については後述）を有し、上蓋本体４ｃの基部側には、上蓋側接続部４ｄが形成されている。
この上蓋側接続部４ｄに対応する中蓋３には、中蓋側接続部３ｈが形成され、これら上蓋側接続部４ｄと中蓋側接続部３ｈとにより、回動可能なヒンジが形成されている。
すなわち、上蓋４は、このヒンジにより中蓋３に近接又は離間する方向に回動可能な構成となっている。
【００２５】
また、上蓋本体４ｃの先端側には、上蓋４を中蓋３に固定するための上蓋側固定片４ｅが、この上蓋本体４ｃから略Ｌ字状に折り曲げるようにして形成されている。
この上蓋側固定片４ｅには、矩形の貫通孔である上蓋側固定用開口４ａが形成されていると共に、上蓋４の上蓋側固定用開口４ａの近傍である上蓋４の先端には利用者が上蓋４を操作するために保持する上蓋側摘み４ｂが形成されている。
【００２６】
一方、中蓋３には、図２及び図３に示すように、その側面に中蓋側固定用凸部３ｄが突出して形成されている。このため、利用者が上蓋４を中蓋３側に移動させて閉状態とするときは、上蓋４の上蓋側摘み４ｂを保持して、上蓋４をヒンジを介して、中蓋３に近接する方向に移動させて、上蓋本体４ｃを中蓋３上に配置させ、閉状態とすると同時に、上蓋側固定用開口４ａ内に中蓋側固定用凸部３ｄを配置させるように操作する。
これにより、上蓋４は、中蓋３に固定され、容易に上蓋４が開くことを防ぐことができる。そして、例えば、利用者がバッグ等の中に、上蓋４を閉めて、トレーニングコップ１を入れ、移動するときでも、バッグ等内で上蓋４が開くという事態の発生を未然に防止することができる。
【００２７】
また、図２及び図３に示すように、中蓋３には、飲み口ユニット５が配置されている。
図２乃至図５に示すように、飲み口ユニット５は、ベースとなるユニット基部９を有している。
また、このユニット基部９には、揺動軸７が形成され、この揺動軸７を中心に飲み口ユニット５が、揺動する構成となっている。
また、中蓋３には、この揺動軸７を揺動可能に軸支する揺動軸保持部３ｅが形成されている。
このように、飲み口ユニット５は、この揺動軸７を中心に図５の矢印Ｒ１方向に揺動可能な構成となっている。
【００２８】
ユニット基部９は、板状部材により形成され、図４及び図５等に示すように、ユニット基部９を、その側面側（図４等で示す方向）から見ると全体が略Ｌ字状に形成されている。また、ユニット基部９の揺動軸７側には、飲み口部である例えば、飲み口本体８が取り付けられている。
一方、図３に示すように、ユニット基部９の揺動軸７から離間する方向の先端側に、略Ｌ字状に屈曲して形成される固定用突片９ｃが形成され、この固定用突片９ｃには、開口である固定用基部開口９ｂが形成されている。この固定用基部開口９ｂについては、後述する。
この飲み口本体８は、図３に示すように、飲料を排出させる開口である飲み口本体側開口８ｆが形成されており、ユニット基部９には、この飲み口本体開口８ｆに対応する開口である飲料用基部開口９ａが形成されている。
また、飲み口本体８は、図５に示すように、飲み口本体開口８ｆ（図３参照）から上方に突出するバリア部８ｂ、８ｂと、このバリア部８ｂ、８ｂの間に設けられ、飲み口本体開口の周縁部から連続するように一体に設けられて、外側に向かって徐々に上昇する傾斜面８ｃを有している。
【００２９】
この傾斜面８ｃの先端側には、図５に示すように、利用者の口腔内に飲料を直接導入すする飲み口先端部である飲み口先端８ａが形成されている。
さらに、バリア部８ｂ、８ｂの飲み口先端８ａ側は、図５に示すように、徐々に傾斜する段部とされており、この段部の頂点の箇所は、位置決め部８ｄとされている。
この位置決め部８ｄは、母親等の介助者や利用者である乳幼児が、トレーニングコップ１の飲み口先端８ａを飲料を飲むトレーニングを行う際に口腔内に差し入れるときに、必要以上に深く入らないように位置決めするための手段となっている。
【００３０】
また、飲み口本体開口に対応して配置されている中蓋開口３ｂは、図３等に示すように、中蓋３の端部側に偏心（偏倚）して配置され、これに対応して飲み口本体８が中蓋３の端部側に偏心して配置されるため、利用者が飲み口本体８を用いて飲料を飲み易い構成となっている。
飲み口ユニット５が、以上のように構成されているため、飲み口ユニット５が、図５に示す矢印Ｒ１の方向に移動すると、その移動に伴って、飲み口本体８の中蓋３上における位置も変更するようになっている。
【００３１】
したがって、図５に示すように、飲み口ユニット５を揺動させ、飲み口ユニット５を中蓋３上の飲料を利用者側に提供する位置である使用位置（図５に示す位置）に配置させると、飲み口本体８の飲み口本体側開口８ｂ、ユニット基部９の飲料用基部開口９ａが、中蓋開口３ｂに対応した位置に配置される。
このため、利用者は、コップ本体２内の飲料を中蓋開口３ｂ、飲料用基部開口９ａ及び飲み口本体側開口８ｆを介して、直接、自己の口腔内に導くことができる構成となっている。
また、このとき、飲み口本体８の飲み口先端部である飲み口先端８ａが、中蓋３から突出して配置される。
【００３２】
一方、図４及び図５に示すように、中蓋３における揺動軸保持部３ｅを挟んで、中蓋開口３ｂとは反対側の中蓋３上の飲み口本体８を待避させる位置である待避位置（図４で飲み口本体８等が配置されている位置であり、図４の揺動軸保持部３ｅの右側）には、図４等に示すように、少なくとも、飲み口本体８の飲み口先端８ａを収容可能な飲み口収容部３ｆが形成されている。
なお、飲み口収容部３ｆは、図１のコップ本体２側に突出するように中蓋３に凹状に形成された凹部となっている。
したがって、図５の矢印Ｒ１の方向の内、右側に飲み口ユニット５が移動すると、やがて、飲み口本体８の少なくとも、飲み口先端８ａが、中蓋３の飲み口収容部３ｆ内に収容されることになる。
【００３３】
このように、本実施の形態では、飲み口ユニット５を矢印Ｒ１の方向に揺動させることで、飲む口本体８を、中蓋３上の使用位置又は待避位置に配置されることができる。すなわち、飲み口本体８を、図５に示す使用位置に配置すると、飲み口本体８が中蓋３から突出して配置され、利用者が飲料を飲みやすい構成となる。
一方、飲み口本体８を待避位置に配置すると、少なくとも、飲み口先端８ａは、中蓋３に形成された飲み口収容部３ｆ内に配置されるため、飲み口先端８ａ等が中蓋３から突出することがないので、利用者がバッグ等に入れて持ち運んでも、飲み口先端８ａ等が邪魔になることがなく、取り扱い易いトレーニングコップ１となる。
【００３４】
また、利用者が飲み口ユニット５を揺動させ、飲み口本体８を、図５の使用位置に配置すると、図３に示す固定用基部開口９ｂが、図３の中蓋側固定用凸部３ｄと係合する位置に配置される。
したがって、図４及び図５に示すように、飲み口ユニット５の固定用基部開口９ｂを中蓋側固定用凸部３ｄに係合させ、固定することで、飲み口本体８も中蓋３上で固定されることになる。このため、利用者は安定して配置されている飲み口本体８から飲料を飲むことができ、飲み易い構成となっている。
【００３５】
また、図３及び図４に示すように、飲み口本体８が中蓋３上の待避位置に配置されたときは、上蓋４は、この飲み口ユニット５及び中蓋開口３ｂを覆うように配置され、上述のように、中蓋３に固定される。
したがって、利用者が、図１及び図４のように、上蓋４を閉めて、トレーニングコップ１をバッグ等に入れても、バッグ等内で飲み口本体８等が突出等して邪魔になることがなく、使い易いトレーニングコップ１となる。
【００３６】
また、図３乃至図５に示すように、中蓋３の中蓋開口３ｂの図において下側（中蓋３のコップ本体２と対向する側）には、この中蓋開口３ｂを閉塞させ又は閉塞させないための閉塞ユニット１０が中蓋３に取り付けられている。
この閉塞ユニット１０は、図３等に示すように、中蓋開口３ｂを覆うことにより閉塞できる閉塞部である例えば、閉塞板１１を有している。
したがって、閉塞板１１を中蓋開口３ｂに当接させた場合、閉塞板１１が、中蓋開口用パッキン３ｃと当接するため、より効果的に中蓋開口３ｂを閉塞することができる構成となっている。
【００３７】
また、この閉塞板１１は、図４及び図５に示すように、図５の矢印Ｒ２に沿って揺動可能となっている。すなわち、図４のように、閉塞板１１を中蓋開口３ｂを閉塞する閉塞位置に配置させ、又は、図５のように閉塞板１１を中蓋開口３ｂを閉塞しない非閉塞位置に配置させることができる構成となっている。
具体的には、図４及び図５に示すように、中蓋３の図において下側には、閉塞ユニット１０を揺動可能に保持する閉塞ユニット保持部３ｇが設けられている。
一方、閉塞ユニット１０は、図３に示すように、閉塞板１１を支持する閉塞板支持部１２を有し、この閉塞板支持部１２には、閉塞ユニット揺動軸１４が設けられ、中蓋３の閉塞ユニット保持部３ｇは、閉塞ユニット揺動軸１４を揺動可能に保持することで、閉塞板１１の矢印Ｒ２方向の揺動を可能にする構成となっている。すなわち、閉塞板支持部１２は、閉塞ユニット揺動軸１４を支点に揺動するシーソー構造となっているため、閉塞板１１が、矢印Ｒ２方向に移動する。
【００３８】
また、図３乃至図５に示すように、閉塞ユニット１０は、バネ性のある弾性部材１３を有し、この弾性部材１３は、閉塞板支持部１２と中蓋３との間に挟み込むように配置されている。
このため、図５に示すように、閉塞板支持部１２を閉塞ユニット揺動軸１４を支点として閉塞板１１の非閉塞位置に揺動させようとすると、閉塞板支持部１２が、弾性部材１３を押しつぶす方向に移動しようとする。すると、弾性部材１３には、この押しつぶす方向の力に対抗する力である付勢力が発生し、閉塞板１１を、閉塞位置に留めよう作用することになる。
したがって、利用者がコップ本体２内に飲料を収容し、中蓋３を配置させ、飲み口本体８を待避位置に配置した状態、すなわち、図４の状態では、中蓋３の中蓋開口３ｂは、閉塞され、コップ本体２内の飲料が漏れない状態となっている。
【００３９】
ところで、図２乃至図５に示すように、飲み口ユニット５のユニット基部９には、飲み口ユニット５が移動して、飲み口本体８が使用位置に配置させられたときに、図５に示すように、閉塞板１１を、その付勢力に逆らって、閉塞位置から非閉塞位置へ強制的に移動させる強制移動部である例えば、強制移動片８ｅが形成されている。
したがって、利用者がトレーニングコップ１を使用する際に、飲み口本体８を図５の使用位置に配置すると、自動的に中蓋開口３ｂが非閉塞状態となり、利用者は、コップ本体２内の飲料を飲むことができることになる。
また、このとき、図５に示すように、飲み口ユニット５の固定用基部開口９ｂを中蓋側固定用凸部３ｄに係合させると、閉塞板１１を非閉塞位置に確実に維持されることができる。利用者はより確実にコップ本体２内の飲料を飲むことができる。
【００４０】
また、本実施の形態では、図２に示すように、上蓋４が中蓋３に対して回動して開いた状態となったときに、その状態を維持するために、図示しない係合凸部と係合凹部がヒンジ（上蓋側接続部４ｄと中蓋側接続部３ｈ）に設けられている。
したがって、これら係合凸部と係合凹部が相互に係合することで、上蓋４を開状態に維持することができる。そして、利用者がコップ本体２内の飲料を飲むためにトレーニングコップ１を傾けても、上蓋４の予期しない移動を未然に防ぐことができる構成となっている。
【００４１】
また、その後、利用者が飲料の摂取を終え、トレーニングコップ１をバッグ等にしまうために、飲み口本体８を図４の待避位置に配置すれば、飲み口ユニット５と共に強制移動片８ｅも移動し、閉塞板１１を押圧することがなくなる。このため、中蓋開口３ｂは、閉塞板１１の弾性部材１３の付勢力によって、自動的に閉塞状態となる。
また、本実施の形態では、上述のように、飲み口ユニット５の固定用基部開口９ｂを中蓋側固定用凸部３ｄに係合させ、固定することで、強制移動片８ｅによって閉塞板１１を押圧した状態を維持できる構成となっている。
【００４２】
したがって、利用者は、飲料を飲んだ後、飲み口本体８を移動させるだけで、コップ本体２内の飲料が移動中にバッグ等内で漏れ出すことを未然に防ぐことができる。
すなわち、飲み口ユニット５の固定用基部開口９ｂが中蓋側固定用凸部３ｄに係合されていない場合には、閉塞ユニット１０の付勢力によって中蓋開口３ｂを閉塞した状態となる。したがって、例え上蓋４をきちんと閉めていなくても、固定用基部開口９ｂと中蓋側固定用凸部３ｄとの係合が解除されているだけで、漏れ防止を図ることができる。
また、本実施の形態では、飲み口本体８が図４の待避位置にある場合、すなわち、閉塞板１１が中蓋開口３ｂを閉塞している場合だけ、上蓋４を閉めることができる構成となっており、それ以外の位置では、上蓋４が飲み口本体８等に当接して閉めることができない構成となっている。
したがって、利用者が飲み口本体８を待避位置以外に配置した状態で、誤ってトレーニングコップ１をバッグ等内に収容させる事態の発生を未然に防止することができる。
また、飲料を飲まないときには、飲み口ユニット５を上蓋４により覆うことができるので、バッグ等に収容させても、飲み口ユニット５を衛生に保つことができる。
【００４３】
また、本実施の形態では、飲み口ユニット５や閉塞ユニット１０等の機構が中蓋３側に設けられているので、従来から存在するコップ本体２に中蓋３を取り付けるだけで、容易に使い易いトレーニングコップ１とすることができる。
また、中蓋３をコップ本体２から取り外すと、飲み口ユニット５等の機構のないコップ本体２とすることができるので、利用者がコップ本体２に飲料を入れ易い構成となっている。さらに、コップ本体２の清掃等がし易い構成ともなっており、衛生的なトレーニングコップ１となる。
【００４４】
また、本実施の形態では、図４に示すように、上蓋４には、深さの異なる２つ凹部が形成されている。具体的には、深さの浅い第１凹部４ｆと、第１凹部４ｆより深い第２凹部４ｇである。第１凹部４ｆは、図４に示すように、ユニット基部９に形成された強制移動片８ｅを覆うことができる程度の深さを有し、第２凹部４ｇは、ユニット基部９に形成された固定用突片９ｃを覆うことができる程度の深さを有している。
したがって、利用者が上蓋４を閉めた場合でも、上蓋４の突出は、図１に示すように、必要最小限度となり、バッグ等内でトレーニングコップ１が必要以上の体積を占有することがなく、使い勝手の良いトレーニングコップ１となっている。
【符号の説明】
【００４５】
１・・・トレーニングコップ、２・・・コップ本体、２ａ・・・本体開口、３・・・中蓋、３ａ・・・ハンドル、３ｂ・・・中蓋開口、３ｃ・・・中蓋開口用パッキン、３ｄ・・・中蓋側固定用凸部、３ｅ・・・揺動軸保持部、３ｆ・・・飲み口収容部、３ｇ・・・閉塞ユニット保持部、３ｈ・・・中蓋側接続部、４・・・上蓋、４ａ・・・上蓋側固定用開口、４ｂ・・・上蓋側摘み、４ｃ・・・上蓋本体、４ｄ・・・上蓋側接続部、４ｅ・・・上蓋側固定片、４ｆ・・・第１凹部、４ｇ・・・第２凹部、５・・・飲み口ユニット、７・・・揺動軸、８・・・飲み口本体、８ａ・・・飲み口先端、８ｂ・・・バリア部、８ｃ・・・傾斜面、８ｄ・・・位置決め部、８ｅ・・・強制移動片、９・・・ユニット基部、９ａ・・・飲料用基部開口、９ｂ・・・固定用基部開口、９ｃ・・・固定用突片、１０・・・閉塞ユニット、１１・・・閉塞板、１１ａ・・・パッキン、１２・・・閉塞板支持部、１３・・・弾性部材、１４・・・閉塞ユニット揺動軸
【図１】
0005759267.tif 000002
【図２】
0005759267.tif 000003
【図３】
0005759267.tif 000004
【図４】
0005759267.tif 000005
【図５】
0005759267.tif 000006